(57)【特許請求の範囲】
【請求項１】
耐火被覆材により被覆された梁にランナーを取り付けるためのランナー固定具であって、
前記耐火被覆材を介することなく前記梁に固定される梁固定部と、
前記ランナーを固定可能なランナー固定部と、
前記梁固定部と前記ランナー固定部との間で、前記耐火被覆材を保持する被覆材保持部と、
を具備し、
前記被覆材保持部は、
筒状に形成されている、
ランナー固定具。
【請求項２】
前記被覆材保持部は、
その軸線方向と前記梁の前記耐火被覆材の被覆面とが平行となるように形成されている、
請求項１に記載のランナー固定具。
【請求項３】
前記被覆材保持部は、
前記ランナー固定部と隣接するように設けられる、
請求項１又は請求項２に記載のランナー固定具。
【請求項４】
耐火被覆材により被覆された梁にランナーを取り付けるためのランナー固定具であって、
前記耐火被覆材を介することなく前記梁に固定される梁固定部と、
前記ランナーを固定可能なランナー固定部と、
前記梁固定部と前記ランナー固定部との間で、前記耐火被覆材を保持する被覆材保持部と、
を具備し、
前記被覆材保持部は、
前記ランナー固定部と隣接するように設けられる、
ランナー固定具。
【請求項５】
前記ランナー固定部は、
前記耐火被覆材の一部が切り出されて当該耐火被覆材から露出することで、前記ランナーを固定可能な状態となり、
前記被覆材保持部は、
切り出された前記耐火被覆材を保持する、
請求項１から請求項４までのいずれか一項に記載のランナー固定具。
【請求項６】
前記被覆材保持部は、
当該被覆材保持部に形成された空間に切り出された前記耐火被覆材が挿入されることで、当該耐火被覆材を保持する、
請求項５に記載のランナー固定具。
【請求項７】
耐火被覆材により被覆された梁と、
前記耐火被覆材を介することなく前記梁に固定される梁固定部、前記耐火被覆材の一部が切り出されて露出することでランナーを固定可能な状態となるランナー固定部、及び前記梁固定部と前記ランナー固定部との間で、前記耐火被覆材を保持する被覆材保持部を有するランナー固定具と、
を具備し、
切り出された前記耐火被覆材は、前記梁固定部と前記ランナー固定部との間で前記被覆材保持部によって保持され、
前記被覆材保持部は、
筒状に形成されている、
ランナー固定構造。
【請求項８】
耐火被覆材により被覆された梁と、
前記耐火被覆材を介することなく前記梁に固定される梁固定部、前記耐火被覆材の一部が切り出されて露出することでランナーを固定可能な状態となるランナー固定部、及び前記梁固定部と前記ランナー固定部との間で、前記耐火被覆材を保持する被覆材保持部を有するランナー固定具と、
を具備し、
切り出された前記耐火被覆材は、前記梁固定部と前記ランナー固定部との間で前記被覆材保持部によって保持され、
前記被覆材保持部は、
前記ランナー固定部と隣接するように設けられる、
ランナー固定構造。
【請求項９】
切り出された前記耐火被覆材は、
前記梁を被覆する前記耐火被覆材と一続きとなるように、前記ランナー固定具によって保持されている、
請求項７又は請求項８に記載のランナー固定構造。
【発明の詳細な説明】
【技術分野】
【０００１】
本発明は、梁にランナーを取り付けるためのランナー固定具及びランナー固定構造の技術に関する。
【背景技術】
【０００２】
従来、梁にランナーを取り付けるためのランナー固定具及びランナー固定構造の技術は公知となっている。例えば、特許文献１に記載の如くである。
【０００３】
特許文献１には、建物の梁にランナーを固定するためのランナー固定具が記載されている。当該ランナー固定具は、梁に係止される係止部材と、ランナーを保持する保持部材とを具備している。
【０００４】
一般的に、火災時における建物の耐火性能を向上させるために、建物の梁には耐火被覆材が被覆される。その際、梁に耐火被覆材を被覆した後にランナー固定具を係止しようとすると、ランナー固定具の取付位置が視認できない等の理由により、梁にランナー固定具を容易に取り付けることができない。そのため、梁にランナー固定具を係止した後に梁を耐火被覆材で被覆することが考えられる。
【０００５】
しかしながら、特許文献１に記載の技術において、梁にランナー固定具を係止した後に梁を耐火被覆材で被覆しようとすると、耐火被覆材がランナー固定具も被覆することとなり、このままではランナーを固定することができない。ランナー固定具を被覆している箇所の耐火被覆材を切り取ることでランナーの固定は可能となるが、そうすると耐火性能が低下するという問題があった。
【先行技術文献】
【特許文献】
【０００６】
【特許文献１】特開２０１５−３８２９８号公報
【発明の概要】
【発明が解決しようとする課題】
【０００７】
本発明は以上の如き状況に鑑みてなされたものであり、その解決しようとする課題は、耐火性能の低下を抑制しつつ、ランナーを固定可能な状態とすることができるランナー固定具及びランナー固定構造を提供するものである。
【課題を解決するための手段】
【０００８】
本発明の解決しようとする課題は以上の如くであり、次にこの課題を解決するための手段を説明する。
【０００９】
即ち、請求項１においては、耐火被覆材により被覆された梁にランナーを取り付けるためのランナー固定具であって、前記耐火被覆材を介することなく前記梁に固定される梁固定部と、前記ランナーを固定可能なランナー固定部と、前記梁固定部と前記ランナー固定部との間で、前記耐火被覆材を保持する被覆材保持部と、を具備し、前記被覆材保持部は、筒状に形成されているものである。
【００１０】
請求項２においては、前記被覆材保持部は、その軸線方向と前記梁の前記耐火被覆材の被覆面とが平行となるように形成されているものである。
【００１１】
請求項３においては、前記被覆材保持部は、前記ランナー固定部と隣接するように設けられるものである。
【００１２】
請求項４においては、耐火被覆材により被覆された梁にランナーを取り付けるためのランナー固定具であって、前記耐火被覆材を介することなく前記梁に固定される梁固定部と、前記ランナーを固定可能なランナー固定部と、前記梁固定部と前記ランナー固定部との間で、前記耐火被覆材を保持する被覆材保持部と、を具備し、前記被覆材保持部は、前記ランナー固定部と隣接するように設けられるものである。
【００１３】
請求項５においては、前記ランナー固定部は、前記耐火被覆材の一部が切り出されて当該耐火被覆材から露出することで、前記ランナーを固定可能な状態となり、前記被覆材保持部は、切り出された前記耐火被覆材を保持するものである。
【００１４】
請求項６においては、前記被覆材保持部は、当該被覆材保持部に形成された空間に切り出された前記耐火被覆材が挿入されることで、当該耐火被覆材を保持するものである。
【００１５】
請求項７においては、耐火被覆材により被覆された梁と、前記耐火被覆材を介することなく前記梁に固定される梁固定部、前記耐火被覆材の一部が切り出されて露出することでランナーを固定可能な状態となるランナー固定部、及び前記梁固定部と前記ランナー固定部との間で、前記耐火被覆材を保持する被覆材保持部を有するランナー固定具と、を具備し、切り出された前記耐火被覆材は、前記梁固定部と前記ランナー固定部との間で前記被覆材保持部によって保持され、前記被覆材保持部は、筒状に形成されているものである。
【００１６】
請求項８においては、耐火被覆材により被覆された梁と、前記耐火被覆材を介することなく前記梁に固定される梁固定部、前記耐火被覆材の一部が切り出されて露出することでランナーを固定可能な状態となるランナー固定部、及び前記梁固定部と前記ランナー固定部との間で、前記耐火被覆材を保持する被覆材保持部を有するランナー固定具と、を具備し、切り出された前記耐火被覆材は、前記梁固定部と前記ランナー固定部との間で前記被覆材保持部によって保持され、前記被覆材保持部は、前記ランナー固定部と隣接するように設けられるものである。
【００１７】
請求項９においては、切り出された前記耐火被覆材は、前記梁を被覆する前記耐火被覆材と一続きとなるように、前記ランナー固定具によって保持されているものである。
【発明の効果】
【００１８】
本発明の効果として、以下に示すような効果を奏する。
【００１９】
請求項１においては、耐火性能の低下を抑制しつつ、ランナーを固定可能な状態とすることができる。また、請求項１においては、耐火被覆材を容易に保持することができる。
【００２０】
請求項２においては、被覆材保持部に保持された耐火被覆材が梁を被覆する耐火被覆材と一続きとなるようにし易くすることができる。
【００２１】
請求項３においては、耐火被覆材の一部を完全に切り取ることなく（梁を被覆する耐火被覆材に対してその一部が接続した状態で）被覆材保持部に保持し易くすることができ、そうすることで被覆材保持部に保持されるべき耐火被覆材の紛失を防止することができる。
【００２２】
請求項４においては、耐火性能の低下を抑制しつつ、ランナーを固定可能な状態とすることができる。また、請求項４においては、耐火被覆材の一部を完全に切り取ることなく（梁を被覆する耐火被覆材に対してその一部が接続した状態で）被覆材保持部に保持し易くすることができ、そうすることで被覆材保持部に保持されるべき耐火被覆材の紛失を防止することができる。
【００２３】
請求項５においては、耐火性能の低下を抑制しつつ、ランナーを固定可能な状態とすることができる。
【００２４】
請求項６においては、ランナーを固定可能な状態とするために切り出された耐火被覆材を容易に保持することができる。
【００２５】
請求項７においては、耐火性能の低下を抑制しつつ、ランナーを固定可能な状態とすることができる。また、請求項７においては、耐火被覆材を容易に保持することができる。
【００２６】
請求項８においては、耐火性能の低下を抑制しつつ、ランナーを固定可能な状態とすることができる。また、請求項８においては、耐火被覆材の一部を完全に切り取ることなく（梁を被覆する耐火被覆材に対してその一部が接続した状態で）被覆材保持部に保持し易くすることができ、そうすることで被覆材保持部に保持されるべき耐火被覆材の紛失を防止することができる。
【００２７】
請求項９においては、耐火性能の低下をさらに抑制することができる。
【図面の簡単な説明】
【００２８】
【図１】（ａ）本発明の一実施形態に係るランナー固定具の上方斜視図。（ｂ）本発明の一実施形態に係るランナー固定具の下方斜視図。
【図２】本発明の一実施形態に係るランナー固定構造を示す左側面図。
【図３】図２のＡ−Ａ断面図。
【図４】図２のＢ−Ｂ断面図。
【図５】梁にランナー固定具を取り付けた状態を示す正面断面図。
【図６】ランナー固定具を取り付けた梁に耐火被覆材を被覆した状態を示す正面断面図。
【図７】耐火被覆材を切り出してランナー固定部を露出させた状態を示す正面断面図。
【図８】ランナー固定具にランナーを固定する様子を示す正面断面図。
【図９】（ａ）梁にランナー固定具を取り付けた後、耐火被覆材を巻いた状態を示す概略側面断面図。（ｂ）耐火被覆材を切り出してランナー固定具を露出させた状態を示す概略側面断面図。
【図１０】（ａ）切り出した耐火被覆材をランナー固定具に保持させた状態を示す概略側面断面図。（ｂ）ランナー固定具にランナーを固定した状態を示す概略側面断面図。
【図１１】耐火被覆材の切り込みの形状を示す底面図。
【００２９】
以下では、図中の矢印に基づいて、前後方向、左右方向及び上下方向を定義して説明を行う。
【００３０】
まず、図１を用いて、ランナー固定具２００の構成について説明する。
【００３１】
ランナー固定具２００は、建物の梁１００にランナー２を取り付けるためのものである（図２から図４参照）。ランナー固定具２００は、梁固定部１０、ランナー固定部２０及び被覆材保持部３０を具備する。
【００３２】
梁固定部１０は、梁１００に固定される板状部材である。梁固定部１０は、ランナー固定具２００の最上部に配置される。梁固定部１０は、後述する被覆材保持部３０の上部に載置される。梁固定部１０は、左右に一対設けられる。一対の梁固定部１０は、互いに左右対称形状に形成される。梁固定部１０は、取付部１１、把持部１２、押圧爪部１３及び板ばね部１４を具備する。前述の如く一対の梁固定部１０は互いに左右対称形状であるので、以下の説明においては、左側の梁固定部１０についてのみ説明する。
【００３３】
取付部１１は、被覆材保持部３０の上部に取り付けられる（載置される）部分である。取付部１１は、板面を上下方向へ、長手方向を前後方向へ向けた略矩形状に形成される。取付部１１は、被覆材保持部３０の上面の左端部近傍に固定される。
【００３４】
把持部１２は、梁１００の左右両端部を把持する部分である。把持部１２は、取付部１１の左端部から上方へ延びるように形成される。
【００３５】
押圧爪部１３は、梁１００を下方へ押圧固定するものである。押圧爪部１３は、把持部１２の上端部から右方へ延びると共に、その右端部が左上方向へ屈曲するように形成される。
【００３６】
板ばね部１４は、梁１００を上方へ付勢するものである。板ばね部１４は、取付部１１の右端から右上方向へ延びるように形成される。板ばね部１４は、上下方向に弾性力を有するように形成される。板ばね部１４は、前後に並ぶように一対設けられる。
【００３７】
ランナー固定部２０は、ランナー２を固定する板状部材である。ランナー固定部２０は、梁固定部１０の下方において、後述する被覆材保持部３０の下部に設けられる。ランナー固定部２０は、取付部２１、弾性係合部２２、第一把持部２３、第二把持部２４及び板ばね部２５を具備する。なお、弾性係合部２２、第一把持部２３、第二把持部２４及び板ばね部２５は、それぞれ左右に一対設けられ、概ね左右対称形状に形成されるものであるので、以下の説明においては、左側のものについてのみ説明する。
【００３８】
取付部２１は、被覆材保持部３０の下部に取り付けられる板状部材である。取付部２１は、板面を上下方向へ、長手方向を左右方向へ向けた略矩形状に形成される。取付部２１は、被覆材保持部３０の下面の略中央部に固定される。
【００３９】
弾性係合部２２は、ランナー２に設けられた孔に挿入されて、ランナー２と係合するものである。弾性係合部２２は、第一係止片２２ａ及び第二係止片２２ｂを具備する。
【００４０】
第一係止片２２ａは、取付部２１の左部から下方へ延びると共に、その下端部が右上方向へ屈曲するように形成される。第一係止片２２ａは、左右方向に弾性を有するように形成される。
【００４１】
第二係止片２２ｂは、取付部２１の左部から下方へ延びると共に、その下端部が左上方向へ屈曲するように形成される。第二係止片２２ｂは、第一係止片２２ａの後側に並ぶように設けられる。第二係止片２２ｂは、左右方向に弾性を有するように形成される。
【００４２】
第一把持部２３は、ランナー２の側面を把持する部分である。第一把持部２３は、板面を左右方向へ向けた板状に形成される。第一把持部２３は、取付部２１の左端部から下方へ延びるように形成される。
【００４３】
第二把持部２４は、ランナー２の側面を把持する部分である。第二把持部２４は、板面を左右方向へ向けた板状に形成される。第二把持部２４は、取付部２１の略中央部から下方へ延びるように形成される。
【００４４】
板ばね部２５は、ランナー２を下方へ付勢するものである。板ばね部２５は、前後に一対設けられる。前側の板ばね部２５は、取付部２１の前端部（の左部）から前下方向へ延びるように形成される。後側の板ばね部２５は、取付部２１の後端部（の左部）から後下方向へ延びるように形成される。板ばね部２５は、上下方向に弾性力を有するように形成される。
【００４５】
被覆材保持部３０は、梁１００を被覆する耐火被覆材１１０の一部（より詳細には、ランナー固定部２０を露出させるために切り出した耐火被覆材１１０の切出片１１０ａ（図４等参照））を保持するものである。被覆材保持部３０は、軸線方向を前後方向へ向けた角筒状に形成され、その前後端が開口するように形成される。被覆材保持部３０の内部には空間３０ａが形成される。被覆材保持部３０は、梁固定部１０の下部に隣接するように設けられる。被覆材保持部３０は、ランナー固定部２０の上部に隣接するように設けられる。つまり、被覆材保持部３０は、上下方向において、梁固定部１０とランナー固定部２０との間に設けられる。
【００４６】
次に、図２から図４を用いて、本発明の実施の一形態に係るランナー固定構造１について説明する。
【００４７】
ランナー固定構造１は、前述のランナー固定具２００を用いて、建物の梁１００にランナー２を固定するものである。ランナー２とは、建物において隣り合う空間（部屋）を仕切る界壁（仕切り壁）を取り付けるためのものである。ランナー２は、長手方向を前後方向へ向けて形成される。ランナー２は、板面を上下方向に向けた平面部分と、当該平面部の左右両端部が折り曲げられて下方へ延びるように形成された折曲部分と、により形成される。当該平面部分と当該折曲部分とにより囲まれる部分に界壁（不図示）が取り付けられる。
【００４８】
梁１００は、正面視Ｈ型断面を有する鉄骨梁である。図２及び図３においては、梁１００の上部を省略して図示している。梁１００の上部は、上階スラブ（不図示）を支持している。梁１００は、長手方向を前後方向へ向けて配置されている。
【００４９】
梁１００には、耐火性能を向上させるために耐火被覆材１１０が被覆される。耐火被覆材１１０は、梁１００に巻きつけられて、梁１００の左面、下面及び右面を被覆する。
【００５０】
ランナー固定具２００は、梁１００にランナー２を取り付けるためのものである。ランナー固定具２００の構成については、前述の通りであるので、ここでは説明を省略する。ランナー固定具２００は、複数設けられ、互いに前後方向に間隔をおいて梁１００に固定される（図２参照）。
【００５１】
ランナー固定具２００のランナー固定部２０には、ランナー２が固定される。ランナー２は、梁１００に対して、左右に並ぶように一対設けられる（図３及び図４参照）。ランナー２に設けられた孔には、ランナー固定部２０の弾性係合部２２が係合する。また、ランナー２の左右側面部は、ランナー固定部２０の第一把持部２３及び第二把持部２４によって把持される。そして、板ばね部２５は、ランナー２の上面を下方へ付勢し、弾性係合部２２の上端部へ押さえつける。これにより、ランナー２は、ランナー固定部２０に固定される。このようにして、ランナー２は、ランナー固定具２００により梁１００に取り付けられる。
【００５２】
次に、図５から図１０を用いて、耐火被覆材１１０によって被覆された梁１００にランナー２を固定する方法について説明する。
【００５３】
まず、図５に示すように、梁１００にランナー固定具２００を固定する。ランナー固定具２００は、梁固定部１０が梁１００に係止されることで、梁１００に固定される。具体的には、梁固定部１０を梁１００の左右方向外側へ押し広げながら梁１００に対して下方から押し付けることで、把持部１２により梁１００の左右両端部が把持される。そして、板ばね部１４は、梁１００の下面を上方へ付勢し、押圧爪部１３の下面へ押さえつける。これにより、ランナー固定具２００を梁１００の下部に係止させることができる。ランナー固定具２００は、耐火被覆材１１０が巻きつけられる前に梁１００に固定するので、梁固定部１０は耐火被覆材１１０を介することなく、梁１００に固定される。
【００５４】
次に、図６及び図９（ａ）に示すように、梁１００に耐火被覆材１１０を巻きつける。このとき、梁１００だけでなくランナー固定具２００にも耐火被覆材１１０を巻きつける。そうすると、図９（ａ）に示すように、ランナー固定具２００が位置する部分においては、耐火被覆材１１０は、ランナー固定具２００の下部（ランナー固定部２０）を被覆することとなる。他の部分においては、耐火被覆材１１０は、梁１００の下面を被覆する。
【００５５】
次に、図７及び図９（ｂ）に示すように、ランナー固定部２０を露出させるために、耐火被覆材１１０のうちランナー固定部２０を被覆している部分を切り出す。このとき、耐火被覆材１１０は完全に分離する（切り取る）のではなく、梁１００を被覆する耐火被覆材１１０に対して一部が接続されたままとなるように切り出される。具体的には、図１１に示すように、底面視において、ランナー固定具２００の右側、前側及び左側に連続するように切り込みＣを入れることで、切出片１１０ａが形成される（図９（ｂ）参照）。
【００５６】
次に、図８及び図１０（ａ）に示すように、耐火被覆材１１０の切出片１１０ａを、ランナー固定具２００の被覆材保持部３０の空間３０ａに挿入する。このとき、切出片１１０ａは、後側の開口部から空間３０ａに挿入される。これにより、切出片１１０ａは空間３０ａに収容され、ひいては被覆材保持部３０に容易に保持される。切出片１１０ａが被覆材保持部３０に保持されることで、ランナー固定具２００のランナー固定部２０が露出する。切出片１１０ａのうち、被覆材保持部３０の前側へ飛び出した部分は、梁１００の下面を被覆している耐火被覆材１１０と一続きとなるように（切れ目がないように）、梁１００の下面に接着させる。
【００５７】
次に、図８及び図１０（ｂ）に示すように、ランナー固定具２００のランナー固定部２０にランナー２を固定する。ランナー２は、当該ランナー固定具２００のランナー固定部２０がランナー２に形成された孔に係止されることで、ランナー固定具２００に固定される。具体的には、ランナー２をランナー固定具２００に対して下方から押し付けることで、弾性係合部２２がランナー２に形成された孔に挿入及び係止され、ランナー２をランナー固定具２００のランナー固定部２０に固定させることができる。
【００５８】
このように、本実施形態に係るランナー固定構造１においては、ランナー２をランナー固定具２００に取り付ける（ランナー固定部２０を露出させる）ために切り出した耐火被覆材１１０の切出片１１０ａを被覆材保持部３０に保持することができるので、切出片１１０ａが邪魔になることなくランナー２の取り付けを行うことができる。
【００５９】
ここで、ランナー固定具２００の被覆材保持部３０は、梁固定部１０とランナー固定部２０との間に形成されているので、切出片１１０ａを被覆材保持部３０に保持させることで、梁固定部１０を介して梁１００の下面を被覆することができる。これにより、梁１００のうちランナー固定具２００が取り付けられた部分をも耐火被覆材１１０によって被覆することができるので、耐火性能の低下を抑制することができる。
【００６０】
また、ランナー固定具２００の被覆材保持部３０は、ランナー固定部２０に隣接して設けられているので、梁１００を被覆している耐火被覆材１１０から完全に分離することなく切出片１１０ａを収容することができる。
【００６１】
また、ランナー固定具２００の被覆材保持部３０は、その軸線方向が梁１００の下面に対して平行な筒状に形成されているので、切出片１１０ａを梁１００の下部を被覆する耐火被覆材１１０と一続きとすることが可能となる。これにより、耐火被覆材１１０によって梁１００を切れ目なく被覆することができ、ひいては耐火性能の低下をより抑制することができる。
【００６２】
以上の如く、本実施形態に係るランナー固定具２００は、耐火被覆材１１０により被覆された梁１００にランナー２を取り付けるためのランナー固定具２００であって、前記耐火被覆材１１０を介することなく前記梁１００に固定される梁固定部１０と、前記ランナー２を固定可能なランナー固定部２０と、前記梁固定部１０と前記ランナー固定部２０との間で、前記耐火被覆材１１０を保持する被覆材保持部３０と、を具備するものである。
このように構成することにより、耐火性能の低下を抑制しつつ、ランナー２を固定可能な状態とすることができる。
【００６３】
また、前記ランナー固定部２０は、前記耐火被覆材１１０の一部が切り出されて当該耐火被覆材１１０から露出することで、前記ランナー２を固定可能な状態となり、前記被覆材保持部３０は、前記耐火被覆材１１０の切出片１１０ａ（切り出された前記耐火被覆材１１０）を保持するものである。
このように構成することにより、耐火性能の低下を抑制しつつ、ランナー２を固定可能な状態とすることができる。
【００６４】
また、前記被覆材保持部３０は、当該被覆材保持部３０に形成された空間３０ａに切り出された耐火被覆材１１０（切出片１１０ａ）が挿入されることで、当該切出片１１０ａを保持するものである。
このように構成することにより、ランナー２を固定可能な状態とするために切り出された耐火被覆材１１０（切出片１１０ａ）を容易に保持することができる。
【００６５】
また、前記被覆材保持部３０は、筒状に形成されているものである。
このように構成することにより、耐火被覆材１１０（切出片１１０ａ）を容易に保持することができる。
【００６６】
また、前記被覆材保持部３０は、その軸線方向と前記梁１００の前記耐火被覆材１１０の被覆面とが平行となるように形成されているものである。
このように構成することにより、被覆材保持部３０に保持された耐火被覆材１１０（切出片１１０ａ）が梁１００を被覆する耐火被覆材１１０と一続きとなるようにし易くすることができる。
【００６７】
また、前記被覆材保持部３０は、前記ランナー固定部２０と隣接するように設けられるものである。
このように構成することにより、耐火被覆材１１０の一部を完全に切り取ることなく（梁１００を被覆する耐火被覆材１１０に対してその一部が接続した状態で）被覆材保持部３０に保持し易くすることができ、そうすることで被覆材保持部３０に保持されるべき耐火被覆材１１０（切出片１１０ａ）の紛失を防止することができる。
【００６８】
また、本実施形態に係るランナー固定構造１は、耐火被覆材１１０により被覆された梁１００と、前記耐火被覆材１１０を介することなく前記梁１００に固定される梁固定部１０、及び前記耐火被覆材１１０の一部が切り出されて露出することでランナー２を固定可能な状態となるランナー固定部２０を有するランナー固定具２００と、を具備し、耐火被覆材１１０の切出片１１０ａ（切り出された前記耐火被覆材１１０）は、前記梁固定部１０と前記ランナー固定部２０との間で前記ランナー固定具２００によって保持されているものである。
このように構成することにより、耐火性能の低下を抑制しつつ、ランナー２を固定可能な状態とすることができる。
【００６９】
また、耐火被覆材１１０の切出片１１０ａは、前記梁１００を被覆する前記耐火被覆材１１０に対してその一部が接続された状態で、前記ランナー固定部２０によって保持されているものである。
このように構成することにより、ランナー固定具２００に保持されるべき耐火被覆材１１０（切出片１１０ａ）の紛失を防止することができる。
【００７０】
また、耐火被覆材１１０の切出片１１０ａは、前記梁１００を被覆する前記耐火被覆材１１０と一続きとなるように、前記ランナー固定具２００によって保持されているものである。
このように構成することにより、耐火性能の低下をさらに抑制することができる。
【００７１】
以上、本発明の実施形態を説明したが、本発明は上記構成に限定されるものではなく、特許請求の範囲に記載された発明の範囲内で種々の変更が可能である。
【００７２】
例えば、梁固定部１０の構造は、梁１００に固定可能なものであれば、任意の構造とすることができる。また、ランナー固定部２０の構造は、ランナー２を固定可能なものであれば、任意の構造とすることができる。
【００７３】
また、本実施形態においては、ランナー固定具２００の被覆材保持部３０は、筒状に形成されるものとしたが、本発明はこれに限定されるものではなく、耐火被覆材１１０の切出片１１０ａを保持することができるものであれば、任意の構造とすることができる。
【００７４】
また、本実施形態においては、ランナー固定具２００は、ランナー２を上方から固定するもの（梁１００の下部に取り付けられるもの）としたが、本発明はこれに限定されるものではなく、ランナー２を下方から固定するもの（梁１００の上部に取り付けられるもの）や、ランナー２を横方向から固定するもの等であってもよい。
【００７５】
また、本実施形態においては、切出片１１０ａは、底面視において、ランナー固定具２００の右側、前側及び左側に連続するように切り込みＣを入れることで形成されるものとしたが、本発明はこれに限定されるものではなく、任意の切り出し方により形成することができる。
【符号の説明】
【００７６】
１        ランナー固定構造
２        ランナー
１０      梁固定部
２０      ランナー固定部
３０      被覆材保持部
３０ａ    空間
１００    梁
１１０    耐火被覆材
１１０ａ  切出片
２００    ランナー固定具
【図１】
0006730858.tif 000002
【図２】
0006730858.tif 000003
【図３】
0006730858.tif 000004
【図４】
0006730858.tif 000005
【図５】
0006730858.tif 000006
【図６】
0006730858.tif 000007
【図７】
0006730858.tif 000008
【図８】
0006730858.tif 000009
【図９】
0006730858.tif 000010
【図１０】
0006730858.tif 000011
【図１１】
0006730858.tif 000012